(57)【要約】【課題】複数台のテレビの放送チャンネルを同期に設定することができる、マルチテレビ放送チャンネルの設定方法を提供する。また、本発明では、さらに、マルチテレビ放送チャンネルの設定モジュールが提供されている。【解決手段】少なくとも第１および第２のテレビの放送チャンネルと伝送チャンネルとの間のマッピング関係を同期に設定するためのマルチテレビ放送チャンネルの設定方法において、第１のテレビの放送チャンネルと伝送チャンネルとのマッピング関係を設定する工程と、当該マッピング関係を第２のテレビに送信することにより、当該第２のテレビは、前記マッピング関係における放送チャンネルに基づいて当該放送チャンネルが前記マッピング関係において対応する伝送チャンネルから伝送された映像音声信号を放送する工程と、を備えている。【選択図】図１
2007267250.tif 000002
【特許請求の範囲】
【請求項１】
少なくとも第１および第２のテレビの放送チャンネルと伝送チャンネルとの間のマッピング関係を同期に設定するためのマルチテレビ放送チャンネルの設定方法において、
第１のテレビの放送チャンネルと伝送チャンネルとの間のマッピング関係を設定し、前記第１のテレビは、前記マッピング関係における放送チャンネルに基づいて前記放送チャンネルが前記マッピング関係において対応する伝送チャンネルから伝送された映像音声信号を放送する工程と、
前記マッピング関係を第２のテレビに送信することにより、前記第２のテレビは、前記マッピング関係における放送チャンネルに基づいて前記放送チャンネルが前記マッピング関係において対応する伝送チャンネルから伝送された映像音声信号を放送する工程と、
を備えていることを特徴とするマルチテレビ放送チャンネルの設定方法。
【請求項２】
リモコンを使用し、前記マッピング関係を設定するための無線信号を生成する工程と、
前記無線信号を受信するための第１の受信機を前記第１のテレビに提供する工程と、
をさらに備えていることを特徴とする請求項１に記載のマルチテレビ放送チャンネルの設定方法。
【請求項３】
前記第１のテレビは、
スクリーンと、
前記リモコンによって生成された無線信号を前記スクリーンに表示させるためのオンスクリーンディスプレイ（ｏｎ  ｓｃｒｅｅｎ  ｄｉｓｐｌａｙ，ＯＳＤ）と、
を備えていることを特徴とする請求項２に記載のマルチテレビ放送チャンネルの設定方法。
【請求項４】
前記マッピング関係を前記第２のテレビに無線転送するための第１の送信機を前記第１のテレビに提供する工程と、
前記第１のテレビの前記第１の送信機から転送された前記マッピング関係を受信するための第２の受信機を前記第２のテレビに提供する工程と、
をさらに備えていることを特徴とする請求項１に記載のマルチテレビ放送チャンネルの設定方法。
【請求項５】
前記第１の送信機および第２の受信機のそれぞれは、ＩｒＤＡプロトコル、ＩｒＭＣプロトコル、またはオブジェクト交換プロトコルのいずれか一つに基づいて前記マッピング関係を送信および受信することを特徴とする請求項４に記載のマルチテレビ放送チャンネルの設定方法。
【請求項６】
少なくとも第１および第２のテレビの放送チャンネルと伝送チャンネルとの間のマッピング関係を同期に設定するためのマルチテレビ放送チャンネルの設定モジュールにおいて、
第１のテレビ内に設けられ、マッピング関係を設定するための無線信号を受信し、これによって、前記第１のテレビは、前記マッピング関係における放送チャンネルに基づいて前記放送チャンネルが前記マッピング関係において対応する伝送チャンネルから伝送された映像音声信号を放送する、第１の受信機と、
少なくとも前記第１のテレビ内に設けられ、前記マッピング関係を前記第２のテレビに無線転送するための第１の送信機と、
を備えていることを特徴とするマルチテレビ放送チャンネルの設定モジュール。
【請求項７】
前記マッピング関係を受信するための第３の受信機が前記第１のテレビ内に設けられていることを特徴とする請求項６に記載のマルチテレビ放送チャンネルの設定モジュール。
【請求項８】
前記第１の送信機および第１の受信機のそれぞれは、ＩｒＤＡプロトコル、ＩｒＭＣプロトコル、またはオブジェクト交換プロトコルのいずれか一つに基づいて前記マッピング関係を送信および受信することを特徴とする請求項６に記載のマルチテレビ放送チャンネルの設定モジュール。
【発明の詳細な説明】
【技術分野】
【０００１】
本発明は、テレビ放送チャンネルの設定技術に関し、より詳しくは、複数台のテレビの放送チャンネルを同期に設定し、チャンネル間のマッピング関係を転送するためのマルチテレビ放送チャンネルの設定方法および設定モジュールに関するものである。
【背景技術】
【０００２】
製造技術の向上や部品コストの低下に伴って、テレビはますます低価格になりつつある。したがって、一般の家庭では、二台以上のテレビが保有されることが決してまれではない。
【０００３】
テレビの放送チャンネルは、リモコンによって設定することが通常である。一つの例として、テレビの放送チャンネルの設定は、使用者が自分の好みにしたがってリモコンの押しボタンを押すことによりできる。
【０００４】
現在のテレビ放送モジュールでは、テレビが数十または数百のテレビ局による伝送チャンネルからの映像音声（ａｕｄｉｏ／ｖｉｄｅｏ，Ａ／Ｖ）信号を放送することができる。伝送チャンネルのそれぞれは一つの放送チャンネルに対応している。テレビ放送モジュールでは、チャンネル自動サーチや記憶機能を有し、操作により設定が自動的に終了することが通常であるが、このような機能では、チャンネルのそれぞれの属性、例えばニュースチャンネル、芸能チャンネル、映画チャンネル等のそれぞれの属性に基づいて連続したテレビチャンネルに分類することができるわけではない。使用者は、あらゆる伝送チャンネルをそれらに対応する放送チャンネル毎に設定しなければならない。しかしながら、前記のように、一般の家庭では、二台以上のテレビが保有されつつあるので、使用者は、一台のテレビの放送チャンネルの設定がようやくできたのにもかかわらず、他のテレビの放送チャンネルの設定をまた時間をかけて一々設定しなければならず、しかも、設定の順序によっては、テレビ放送チャンネルのそれぞれの属性順序に不一致を生じることがあるので、使用者にとって極めて不便である。
【発明の開示】
【発明が解決しようとする課題】
【０００５】
そこで、以上のとおりの事情に鑑み、本発明は、複数台のテレビの放送チャンネルを同期に設定することができる、マルチテレビ放送チャンネルの設定方法およびモジュールを提供することを課題とする。
【課題を解決するための手段】
【０００６】
上記の課題を解決するために、本発明では、マルチテレビ放送チャンネルの設定方法が提供されている。このマルチテレビ放送チャンネルの設定方法は、
第１のテレビの放送チャンネルと伝送チャンネルとのマッピング関係を設定し、当該第１のテレビは、前記マッピング関係における放送チャンネルに基づいて前記放送チャンネルが前記マッピング関係において対応する伝送チャンネルから伝送された映像音声信号を放送する工程と、
前記マッピング関係を第２のテレビに送信することにより、当該第２のテレビが、前記マッピング関係における放送チャンネルに基づいて前記放送チャンネルが前記マッピング関係において対応する伝送チャンネルから伝送された映像音声信号を放送する工程と、を備えている。
【０００７】
本発明に係るマルチテレビ放送チャンネルの設定方法では、好ましい実施形態として、リモコンを使用してマッピング関係を設定するための無線信号を生成する工程と、当該無線信号を受信するための第１の受信機を前記第１のテレビに提供する工程と、をさらに備えている。第１のテレビは、スクリーンと、前記リモコンによって生成された無線信号を当該スクリーンに表示させるためのオンスクリーンディスプレイ（ｏｎ  ｓｃｒｅｅｎ  ｄｉｓｐｌａｙ，ＯＳＤ）を備えている。また、本発明に係るマルチテレビ放送チャンネルの設定方法では、マッピング関係を第２のテレビに無線転送するための第１の送信機を第１のテレビに提供する工程と、第１のテレビの第１の送信機から転送されたマッピング関係を受信するための第２の受信機を第２のテレビに提供する工程と、をさらに備えている。前記第１の送信機および第２の受信機のそれぞれは、ＩｒＤＡ（Ｉｎｆｒａｒｅｄ  Ｄａｔａ  Ａｓｓｏｃｉａｔｉｏｎ）プロトコル、ＩｒＭＣ（Ｉｎｆｒａｒｅｄ  Ｍｏｂｉｌｅ  Ｃｏｍｍｕｎｉｃａｔｉｏｎｓ）プロトコルまたはオブジェクト交換プロトコル（Ｏｂｊｅｃｔ  Ｅｘｃｈａｎｇｅ Ｐｒｏｔｏｃｏｌ，ＯＢＥＸ）に基づいて該マッピング関係を送信および受信する。
【０００８】
また、本発明では、少なくとも第１および第２のテレビの放送チャンネルと伝送チャンネルとの間のマッピング関係を同期に設定するためのマルチテレビ放送チャンネルの設定モジュールが提供されている。本発明に係るマルチテレビ放送チャンネルの設定モジュールは、
第１のテレビ内に設けられ、マッピング関係を設定するための無線信号を受信し、これによって、当該第１のテレビは、前記マッピング関係における放送チャンネルに基づいて当該放送チャンネルが前記マッピング関係において対応する伝送チャンネルから伝送された映像音声信号を放送する、第１の受信機と、
少なくとも前記第１のテレビ内に設けられ、前記マッピング関係を前記第２のテレビに無線転送するための第１の送信機と、
を備えている。
【発明の効果】
【０００９】
従来の技術に比較して、本発明に係るマルチテレビ放送チャンネルの設定方法および関連するモジュールによれば、複数台のテレビの放送チャンネルを同期に設定することができるとともに、使用者が放送チャンネル設定時に必要とする時間を大幅に節約することができる。
【発明を実施するための最良の形態】
【００１０】
以下は、特定の実施形態に基づいて本発明の実施方式を説明するものであり、この技術分野に精通した者は本発明のその他の利点や効果を明細書に記載の内容から容易に了解することができる。本発明は、その他の異なる実施形態によって実施や応用したり、明細書に記載の内容も異なる観点や応用に基づき、本発明の精神を脱しない範囲で様々な修飾や変更が可能であり、そうした修飾や変更は本発明の技術範囲に入るものである。
【００１１】
図１および図２を参照して、図１は、本発明に係るマルチテレビ放送チャンネル設定モジュール１０の好ましい実施形態を模式的に示したブロック図であり、図２は、本発明に係るマルチテレビ放送チャンネル設定モジュール１０を模式的に示したブロック図である。マルチテレビ放送チャンネル設定モジュール１０は、複数台のテレビ（例えば第１のテレビ１２および第２のテレビ１４）の放送チャンネルＤＣと伝送チャンネルＴＣとの間のマッピング関係ＭＲを同期に設定することができる。マルチテレビ放送チャンネル設定モジュール１０は、第１のテレビ１２、第２のテレビ１４、およびリモコン１６を備えている。第１のテレビ１２および第２のテレビ１４は、マッピング関係ＭＲにおける放送チャンネルＤＣに基づいて、当該放送チャンネルＤＣが前記マッピング関係ＭＲにおいて対応する伝送チャンネルＴＣからの映像音声信号を放送し、リモコン１６は、マッピング関係ＭＲを設定するための無線信号Ｓを生成することができる。また、リモコン１６は、放送チャンネルＤＣを選択するための無線信号Ｓを生成することもできる。すなわち、使用者は、リモコン１６を利用して第１のテレビ１２のマッピング関係ＭＲを設定し、第１のテレビ１２の放送チャンネルＤＣを選択することができる。
【００１２】
一つの例として、図３を参照して、図３は、マッピング関係ＭＲを模式的に示した図である。マッピング関係ＭＲにおいて、リモコン１６によって生成された無線信号Ｓは、伝送チャンネル（３９１〜３９９ＭＨｚ（メガヘルツ））、（３９９〜４０７ＭＨｚ）、（４０７〜４１５ＭＨｚ）および（４１５〜４２３ＭＨｚ）をそれぞれ放送チャンネル０９、１０、１１および１２に対応させている。このように、使用者が、リモコン１６を使用して第１のテレビ１２の放送チャンネル０９を選択するための無線信号Ｓを生成する場合には、第１のテレビ１２は伝送チャンネル（３９１〜３９９ＭＨｚ）からの映像音声信号ＡＶを放送し、使用者が、リモコン１６を使用して第１のテレビ１２の放送チャンネル１０を選択するための無線信号Ｓを生成する場合には、第１のテレビ１２は伝送チャンネル（３９９〜４０７ＭＨｚ）からの映像音声信号ＡＶを放送し、その他もこれに準ずる。
【００１３】
図３に示すように、マッピング関係ＭＲにおける伝送チャンネルＴＣからの映像音声信号ＡＶは、無線アンテナを介して受信されているが、本発明に係るマルチテレビ放送チャンネルの設定モジュールにおいては、有線テレビネットワークからの映像音声信号ＡＶを受信することも可能である。
【００１４】
再び図１を参照して、第１のテレビ１２は、第１のメモリ１８、第１の受信機２０および第１の送信機２２を備えている。第１のメモリ１８は、第１のテレビ１２のマッピング関係ＭＲを保存し、第１の受信機２０は、リモコン１６によって生成された無線信号Ｓを受信し、第１の送信機２２は、第１のテレビ１２のマッピング関係ＭＲを無線転送する。同じように、第２のテレビ１４は、第２の受信機２４および第２のメモリ２６を備えている。第２の受信機２４は、第１のテレビ１２の第１の送信機２２からのマッピング関係ＭＲを受信し、第２のメモリ２６は、第２の受信機２４によって受信されたマッピング関係ＭＲを保存する。このように、マルチテレビ放送チャンネル設定モジュール１０の使用者は、第１のテレビ１２の放送チャンネルＤＣを設定すると同時に、第２のテレビ１４の放送チャンネルＤＣを同期に設定することができるので、第２のテレビ１４の放送チャンネルＤＣを再度設定するのに必要な時間を節約することができるようになる。
【００１５】
また、第１のテレビ１２は、さらに、第３の受信機３２を備えてもよい。第３の受信機３２は、第２の受信機２４のように第１の送信機２２からのマッピング関係ＭＲを受信することができ、その他のテレビからのマッピング関係ＭＲを受信することもできる。一つの例として、第２のテレビ１４が、マッピング関係ＭＲを送信するための第２の送信機を備えていれば、第１のテレビ１２の第３の受信機３２は第２のテレビ１４の第２の送信機からのマッピング関係ＭＲを受信することができる。
【００１６】
本発明では、好ましい実施形態として、第１の受信機２０、第１の送信機２２および第３の受信機３２が、複数台のテレビの放送チャンネルと伝送チャンネルとの間のマッピング関係を同期に設定できるように、ひとつのマルチテレビ放送チャンネル設定モジュールに統合されることが可能である。また、第１の送信機２２／第２の受信機２４（第３の受信機３２）は、ＩｒＤＡプロトコル、ＩｒＭＣプロトコルまたはオブジェクト交換プロトコルに基づいて該マッピング関係ＭＲを送信および受信することができる。さらに、リモコン１６は、赤外線式の無線信号Ｓを生成するための赤外線発光ダイオードを備えてもよい。一方、第１の受信機２０は、前記赤外線式の無線信号Ｓを受信するための赤外線フォトダイオードであってもよい。そして、本発明に係るマルチテレビ放送チャンネル設定モジュール１０（マルチテレビ放送チャンネル設定モジュールも同様である）は、無線転送（例えば赤外線）を利用して、第１のテレビ１２のマッピング関係ＭＲを第２のテレビ１４に転送するが、第１のテレビ１２および第２のテレビ１４がいずれもメモリーカード対応テレビであれば、本発明に係るマルチテレビ放送チャンネル設定モジュール１０は、ストレージカードを利用して、第１のテレビ１２のマッピング関係ＭＲを第２のテレビ１４に保存してもよい。
【００１７】
再び図２を参照して、第１のテレビ１２は、さらにスクリーン２８およびオンスクリーンディスプレイ３０を備えている。オンスクリーンディスプレイ３０は、リモコン１６によって生成された無線信号Ｓをスクリーン２８に表示させる。具体的には、使用者が容易に第１のテレビ１２の放送チャンネルＤＣを設定できるように、オンスクリーンディスプレイ３０は、無線信号Ｓをスクリーン２８上におけるオンスクリーンディスプレイ設定画面（ｏｎ  ｓｃｒｅｅｎ  ｄｉｓｐｌａｙ，ＯＳＤ）内に表示させる。
【００１８】
図４は、マルチテレビ放送チャンネル設定モジュール１０に対応するマルチテレビ放送チャンネル設定方法のフローを示している。当該マルチテレビ放送チャンネル設定方法は、下記のステップを備えている。
【００１９】
ステップ１０２：スタート
（モジュール１０の第１のテレビ１２がスイッチオンの状態となっているが、第２のテレビ１４がスイッチオフの状態となっている）
【００２０】
ステップ１０４：リモコン１６を利用してマッピング関係ＭＲを設定するための無線信号Ｓを生成する。
（無線信号Ｓは第１のテレビ１２のマッピング関係ＭＲを設定することができる）
【００２１】
ステップ１０６：第１のテレビ１２の第１の受信機２０を利用してリモコン１６によって生成された無線信号Ｓを受信する。
（これと同時に、使用者が容易に放送チャンネルＤＣを設定できるように、第１のテレビ１２のスクリーン２８にオンスクリーンディスプレイ設定画面ＯＳＤが現れている。）
【００２２】
ステップ１０８：第１のテレビ１２の第１の送信機２２を利用してマッピング関係ＭＲを送信する。
ステップ１１０：第２のテレビ１４をスイッチオンする。
ステップ１１２：第２のテレビ１４の同期機能をオンにする。
（同様に、第２のテレビ１４にもオンスクリーンディスプレイ設定画面ＯＳＤが現れ、使用者が該オンスクリーンディスプレイ設定画面ＯＳＤにおいても当該同期機能を起動することができる。）
【００２３】
ステップ１１４：第２のテレビ１４の第２の受信機２４を利用して、第１の送信機２２からのマッピング関係ＭＲを受信する。
（この場合、前記同期機能は、第２の受信機２４によって受信されたマッピング関係ＭＲを第２のメモリ２６に保存する）
【００２４】
ステップ２０１：終了。
（これにより、第２のテレビ１４の放送チャンネルＤＣの設定が第１のテレビ１２の放送チャンネルＤＣの設定に同期して終了している。）
【００２５】
従来の技術に比較して、本発明に係るマルチテレビ放送チャンネルの設定方法および関連するモジュールによれば、複数台のテレビの放送チャンネルを同時に設定することができるとともに、使用者が放送チャンネル設定時に必要とする時間を大幅に節約することができる。
【００２６】
上記のように、これらの実施の形態は本発明を例示する目的で示すものであり、本発明は、これらによって何ら限定されるものではない。本発明に係る実質的な技術内容は、特許請求の範囲に定義される。本発明はこの技術分野に精通したものが特許請求の範囲を脱しない範囲で色々な修飾や変更が可能であり、そうした修飾や変更は本発明の請求範囲に入るものである。
【図面の簡単な説明】
【００２７】
【図１】本発明に係るマルチテレビ放送チャンネル設定モジュールの好ましい実施形態の機能を模式的に示したブロック図である。
【図２】図１に示すマルチテレビ放送チャンネル設定モジュールを模式的に示した図である。
【図３】図１に示すマルチテレビ放送チャンネル設定モジュールにおけるマッピング関係を模式的に示した図である。
【図４】図１に示すマルチテレビ放送チャンネル設定モジュールに対応するマルチテレビ放送チャンネル設定方法を示したフローチャートである。
【符号の説明】
【００２８】
１０  マルチテレビ放送チャンネル設定モジュール
１２  第１のテレビ
１４  第２のテレビ
１６  リモコン
１８  第１のメモリ
２０  第１の受信機
２２  第１の送信機
２４  第２の受信機
２６  第２のメモリ
２８  スクリーン
３０  オンスクリーンディスプレイ
３２  第３の受信機
ＤＣ  放送チャンネル
ＭＲ  マッピング関係
ＯＳＤ  オンスクリーンディスプレイ設定画面
Ｓ  無線信号
ＴＣ  伝送チャンネル
【図１】
2007267250.tif 000003
【図２】
2007267250.tif 000004
【図３】
2007267250.tif 000005
【図４】
2007267250.tif 000006